(57)【要約】【課題】  現場での新たな部材の増設工事をなくして、部材交換のみによってロールスクリーンが後付可能となる開閉装置を得、ロールスクリーンユニットの後付施工性の向上を図る。【解決手段】  収容ケース１７から繰り出されるシャッターカーテン繰出し端の幅木２９にロック手段が設けられ、シャッターカーテン１５の両側縁を挟んで案内する一対のガイドレール１９，１９内に設けられた係止突起４１に、ロック手段を係止してシャッターカーテン１５が閉鎖状態に施錠される開閉装置１００であって、幅木２９に、スクリーン４５を収容したロールスクリーンユニット３１を設け、ロールスクリーンユニット３１のスクリーン繰出し端４３に、係止突起４１に係止・係止解除自在となったスクリーンロック手段４９を設けた。【選択図】      図１
2006219836.tif 000002
【特許請求の範囲】
【請求項１】
収容ケースから繰り出されるシャッターカーテン繰出し端の端部材にロック手段が設けられ、前記シャッターカーテンの両側縁を案内する一対のガイドレール内に設けられた係止突起に、前記ロック手段を係止して前記シャッターカーテンが閉鎖状態に施錠される開閉装置であって、
前記端部材に、スクリーンを収容したロールスクリーンユニットが設けられ、
該ロールスクリーンユニットのスクリーン繰出し端に、前記係止突起に係止・係止解除自在となったスクリーンロック手段が設けられたことを特徴とする開閉装置。
【請求項２】
収容ケースから繰り出されるシャッターカーテン繰出し端の端部材にロック手段が設けられ、前記シャッターカーテンの両側縁を案内する一対のガイドレール内に設けられた係止突起に、前記ロック手段を係止して前記シャッターカーテンが閉鎖状態に施錠される開閉装置であって、
前記端部材が繰り出し方向で先端部材と基端部材とに二分割され、
前記ロック手段が前記先端部材に設けられ、
スクリーンを収容したロールスクリーンユニットが前記基端部材に設けられ、
該ロールスクリーンユニットのスクリーン繰出し端が前記先端部材に固定されるとともに、前記基端部材と前記先端部材とに亘って該基端部材と該先端部材とを連結・連結解除可能とした端部材連結手段が設けられたことを特徴とする開閉装置。
【発明の詳細な説明】
【技術分野】
【０００１】
本発明は、住宅の窓などの構造物の開口部に設けられる開閉装置に関する。
【背景技術】
【０００２】
風雨や火災を防いだり、防犯性を向上させるために、建物などの構造物の出入り口や窓などの開口部には開閉装置であるシャッターカーテンが取り付けられることが多い。シャッターカーテンは、昼間、室内の採光や通気などのために全開されるのが通常である。この際、シャッターカーテンを全開したときに、外部からの視線や日射を遮るために、開口部にブラインドやロールスクリーンなどを配設している。
【０００３】
ところが、ロールスクリーンをシャッターカーテンと平行に引き下ろすようにすると、これらを収容する収容ケースの奥行きが大きくなり、見栄えが低下するとともに、その修理や交換も煩雑となる。このような不具合を解消したものに、下記特許文献１に開示されるシャッターがある。
【０００４】
このシャッターは、シャッターカーテンの下端に沿って、シャッターカーテンを全閉したときに接地する函型ケースが取り付けられ、このケース内にロール巻き取り式スクリーン、所謂ロールスクリーンが設けられている。このシャッターによれば、シャッターカーテンを半開乃至全開したとき、そのシャッターカーテンと共に上昇した函型ケース内からスクリーンを引き下ろして、外部の視線や日射を遮ることができた。
【特許文献１】実開平４−５５９９３号公報
【発明の開示】
【発明が解決しようとする課題】
【０００５】
しかしながら、上記した従来のシャッターは、既設のシャッターカーテンに函型ケースを取り付けるため、現場での取付け施工が必要となった。また、スクリーンの繰出し端の係止構造については何ら開示がなく、繰出し端を係止するための係止部を設けることとなれば、それによっても煩雑な後工事が発生し、ロールスクリーンの取付け施工性が低下した。  
【０００６】
本発明は上記状況に鑑みてなされたもので、現場での新たな部材の増設工事を不要にして、部材交換のみによってロールスクリーンが後付可能となる開閉装置を提供し、もって、ロールスクリーンユニットの後付施工性の向上を図ることを目的とする。
【課題を解決するための手段】
【０００７】
次に、上記の課題を解決するための手段を、実施の形態に対応する図面を参照して説明する。
本発明の請求項１記載の開閉装置１００は、収容ケース１７から繰り出されるシャッターカーテン繰出し端２７の端部材にロック手段３３が設けられ、前記シャッターカーテン１５の両側縁を案内する一対のガイドレール１９，１９内に設けられた係止突起４１に、前記ロック手段３３を係止して前記シャッターカーテン１５が閉鎖状態に施錠される開閉装置１００であって、
前記端部材２９に、スクリーン４５を収容したロールスクリーンユニット３１が設けられ、
該ロールスクリーンユニット３１のスクリーン繰出し端４３に、前記係止突起４１に係止・係止解除自在となったスクリーンロック手段４９が設けられたことを特徴とする。
【０００８】
この開閉装置１００では、既設の端部材と、ロールスクリーンユニット３１の取り付けられたスクリーンユニット付端部材２９とを交換するのみで、簡単にロールスクリーンユニット３１が後付けされることになる。また、シャッターカーテン１５の収容ケース１７に、ロールスクリーンユニット３１を並設する必要がなくなる。そして、既設の係止突起４１が、スクリーン４５の係止用とシャッターカーテン１５の係止用とに共用可能となる。さらに、シャッター閉鎖時に、シャッターカーテン１５の施錠解除、又はスクリーン４５のロック解除、或いはその双方が同時に可能となり、例えばシャッターカーテン１５の施錠解除のみを行い、シャッターカーテン１５を開放すれば、繰出し端４３が係止突起に係止されたスクリーン４５が、シャッターカーテン１５の巻き取りに伴って繰り出されることとなる。
【０００９】
請求項２記載の開閉装置２００は、収容ケース１７から繰り出されるシャッターカーテン繰出し端２７の端部材にロック手段３３が設けられ、前記シャッターカーテン１５の両側縁を案内する一対のガイドレール１９，１９内に設けられた係止突起４１に、前記ロック手段３３を係止して前記シャッターカーテン１５が閉鎖状態に施錠される開閉装置２００であって、
前記端部材７１が繰り出し方向で先端部材７３と基端部材７５とに二分割され、
前記ロック手段３３が前記先端部材７３に設けられ、
スクリーン４５を収容したロールスクリーンユニット３１が前記基端部材７５に設けられ、
該ロールスクリーンユニット３１のスクリーン繰出し端４３が前記先端部材７３に固定されるとともに、前記基端部材７５と前記先端部材７３とに亘って該基端部材７５と該先端部材７３とを連結・連結解除可能とした端部材連結手段７７が設けられたことを特徴とする。
【００１０】
この開閉装置２００では、既設の端部材と、ロールスクリーンユニット３１の取り付けられたスクリーンユニット付端部材７１とを交換するのみで、簡単にロールスクリーンユニット３１が後付けされることになる。また、シャッターカーテン１５の収容ケース１７に、ロールスクリーンユニット３１を並設する必要がなくなる。そして、スクリーン４５の繰出し端４３が、先端部材７３に係止固定可能となる。さらに、シャッター閉鎖時に、シャッターカーテン１５の施錠解除、又はスクリーン４５のロック解除の選択が可能となり、別言すると、先端部材７３と基端部材７５とが、端部材連結手段７７によって互いを連結させる状態と互いを分離する状態とに選択が可能となり、例えばスクリーン４５の係止解除すなわち先端部材７３と基端部材７５との連結解除のみを行い、シャッターカーテン１５を開放すれば、繰出し端４３を先端部材７３に固定したスクリーン４５が、基端部材７５に設けられたロールスクリーンユニット３１の上昇に伴って繰り出されることとなる。すなわちスクリーン４５は、ガイドレール内の既設の係止突起にスクリーン繰出し端４３が先端部材７３に設けられたロック手段３３を介して係止されて、この係止突起とシャッターカーテーン１５との間に配置されることとなる。
【発明の効果】
【００１１】
本発明に係る請求項１記載の開閉装置によれば、端部材に、スクリーンを収容したロールスクリーンユニットを設け、このロールスクリーンユニットのスクリーン繰出し端に、係止突起に係止・係止解除自在となったスクリーンロック手段を設けたので、既設の端部材と、スクリーンユニット付端部材とを交換するのみで、簡単にロールスクリーンユニットを後付することができる。また、シャッターカーテンの収容ケースに、ロールスクリーンユニットを並設する必要がないので、開閉装置の奥行き方向の寸法を小さくすることができる。そして、スクリーンの係止が、シャッターカーテン用の既設の係止突起を共用できるので、新たな係止手段を増設することなく、ロールスクリーンユニットの取付けが容易となる。
さらに、シャッター閉鎖時に、シャッターカーテンの施錠解除、又はスクリーンのロック解除、或いはその双方が同時に可能となり、例えばシャッターカーテンの施錠解除のみを行い、このシャッターカーテンを開放すれば、繰出し端が係止突起に係止されたスクリーンが、シャッターカーテンの巻き取りに伴って繰り出されることとなる。このことから、従来のように、シャッターを全開してからスクリーンを繰り出す、という二度手間を不要にして、操作性を向上させることができる。
【００１２】
請求項２記載の開閉装置によれば、端部材を繰り出し方で先端部材と基端部材とに二分割し、ロック手段を先端部材に設け、スクリーンを収容したロールスクリーンユニットを基端部材に設け、ロールスクリーンユニットのスクリーン繰出し端を先端部材に固定するとともに、基端部材と先端部材とに亘って基端部材と先端部材とを連結・連結解除可能とした端部材連結手段を設けたので、既設の端部材と、スクリーンユニット付端部材とを交換するのみで、簡単にロールスクリーンユニットを後付することができる。また、シャッターカーテンの収容ケースに、ロールスクリーンユニットを並設する必要がないので、開閉装置の奥行き方向の寸法を小さくすることができる。そして、スクリーンの繰出し端が、先端部材に係止固定できるので、新たな係止手段を増設することなく、ロールスクリーンユニットの取付けが容易となる。また、先端部材は、シャッターカーテンのロック手段を係止突起に係止する機能と、スクリーンの繰出し端を係止突起に係止する機能とを兼ね備えたものとすることができる。さらに、従来のように、シャッターを全開してからスクリーンを繰り出す二度手間を不要にして、操作性を向上させることができる。
【発明を実施するための最良の形態】
【００１３】
以下、本発明に係る開閉装置の好適な実施の形態を図面を参照して詳細に説明する。
図１は本発明の第１の実施の形態に係る開閉装置の設けられた開口部の縦断面図、図２は図１の水平断面図、図３はシャッターカーテン繰出し端に設けられたロック手段の正面図、図４はスクリーン繰出し端に設けられたスクリーンロック手段の正面図である。
【００１４】
住宅などの外壁１１に設けられた開口部である窓部１３の上部には、シャッターカーテン１５の収容ケース１７が設けられ、収容ケース１７には巻取軸の外周に巻回されたシャッターカーテン１５が収容されている。窓部１３の左右には図２に示すガイドレール１９，１９が設けられ、ガイドレール１９，１９は略コ字状に形成され、シャッターカーテン１５の両側縁を摺動自在に案内する。外壁１１とガイドレール１９，１９との間には外枠２１が設けられ、外枠２１は窓部１３に設けられたサッシ２３とシャッターカーテン１５との間に所定の間隙２５を形成している。
【００１５】
シャッターカーテン１５の繰出し端２７には図３に示す端部材である幅木２９が設けられ、この幅木２９にはロールスクリーンユニット３１が設けられている。ロールスクリーンユニット３１は、例えば幅木２９の室外側に取り付けられる。このロールスクリーンユニット３１付きの幅木２９は、既設のシャッターカーテンの幅木と抜き差しによって交換可能となっている。すなわち、幅木２９は、既設の幅木を、繰出し端２７側のスラットから抜き取り、差し替えることで容易に交換が行えるようになっている。
【００１６】
幅木２９には、従来と同様のシャッターカーテン１５用のロック手段３３が設けられている。ロック手段３３は、幅木２９の室内側面における略中央部に操作箱３５を有し、操作箱３５に設けられて操作部３７を開方向・閉方向に回動操作することにより、幅木２９の左右端からロック片３９を進退させるようになっている。この操作部３７は、サムターンより構成されてもよく、或いはシリンダ錠を設けて合鍵を用いる構成とすることとしてもよい。
【００１７】
幅木２９の左右端から突出したロック片３９は、図４に示すように、ガイドレール１９，１９の端部である下端に設けられる係止突起４１に係止する。係止突起４１は斜面部と略水平な面部と有する略三角形状の部材、例えば板金材を折曲加工した部材等からなり、その略水平な面部がロック片３９の係止面４１ａとなる。これにより、繰り出されたシャッターカーテン１５は、巻き取り方向の移動（上昇）が規制されて施錠される。なお、上記ロック手段３３は、シャッターカーテン１５の幅木２９、すなわちシャッターカーテン１５の下端に配設される以外に、高さ方向の略中間部分に配設されるものもあり、その場合には、図４上半部に示すように、上記同様の係止突起４１がガイドレール１９，１９の中途部分にも配設される。
【００１８】
幅木２９に設けられたロールスクリーンユニット３１の下面には繰出し端４３が導出されている。スクリーン４５は、巻き取り方向にモーメントを発生させる巻取ばね（図示せず）によって付勢されて収容されている。したがって、ユニットケース４７から繰り出されたスクリーン４５は、巻取ばねによって巻き取られるようになっている。
【００１９】
このスクリーン４５の繰出し端４３には図４に示すスクリーンロック手段４９が設けられ、スクリーンロック手段４９は幅木２９の室内側に突出する摘み５１を左右にスライド操作することで、繰出し端４３の左右からロック片５３を進退可能としている。繰出し端４３から突出したロック片５３は、上記したシャッターカーテン１５のロック片３９が係止する同一の係止突起４１に係止するようになっている。つまり、係止突起４１には、奥行き方向に並んでシャッターカーテン１５のロック片３９と、スクリーン４５のロック片５３とが同時に係止されるようになっている。これらのロック片３９と、ロック片５３の係止は、室内側からシャッターカーテン１５の摘み３７、或いはスクリーンロック手段４９の摘み５１を操作することにより、シャッターカーテン１５の施錠解除、又はスクリーン４５のロック解除、或いはその双方が同時に可能となっている。
なお、係止突起４１に対して、シャッターカーテン１５のロック片３９と、スクリーン４５のロック片５３とが、同時に係止されずに、どちらか一方のみを、必要に応じて同じ係止突起４１に係止させるように構成されることとしてもよく、すなわち、両ロック片３９，５３のいずれかのみを選択的に同じ係止突起４１に係止することとしてもよい。
【００２０】
次に、このような構成を有する開閉装置１００の作用を説明する。
シャッターカーテン１５の閉鎖時には、シャッターカーテン１５とスクリーン４５とのロック片３９、ロック片５３とが同時に係止突起４１に係止されている。シャッターカーテン１５を開放する際、窓部１３をスクリーン４５で遮る必要がない場合には、ロック手段３３と、スクリーンロック手段４９との双方を解除する。これにより、シャッターカーテン１５が巻き取られるとともに、係止突起４１と繰出し端４３との係止が解除されているスクリーン４５は、ロールスクリーンユニット３１に収容されたままシャッターカーテン１５の幅木２９と共に上昇する。すなわち、窓部１３は、スクリーン４５に遮られることなく全開されることとなる。
【００２１】
一方、シャッターカーテン１５の開放時、窓部１３をスクリーン４５で遮るには、シャッターカーテン１５のロック手段３３のみを解除する。すなわち、スクリーンロック手段４９はロック状態のままとする。この状態で、シャッターカーテン１５を開放すると、繰出し端４３が係止突起４１に係止しているため、幅木２９と共に上昇するロールスクリーンユニット３１からスクリーン４５が繰り出されて行く。これにより、シャッターカーテン１５が全開されると、窓部１３は、ロールスクリーンユニット３１から繰り出されたスクリーン４５によって遮られることとなる。
【００２２】
この開閉装置１００では、既設の幅木と、ロールスクリーンユニット３１の取り付けられたスクリーンユニット付幅木２９とを交換するのみで、簡単にロールスクリーンユニット３１が後付けされることになる。また、シャッターカーテン１５の収容ケース１７に、ロールスクリーンユニット３１を並設する必要がなくなる。そして、既設の係止突起４１が、スクリーン４５の係止用とシャッターカーテン１５の係止用とに共用可能となる。さらに、シャッター閉鎖時に、シャッターカーテン１５の施錠解除、又はスクリーン４５のロック解除、或いはその双方が同時に可能となり、例えばシャッターカーテン１５の施錠解除のみを行い、シャッターカーテン１５を開放すれば、繰出し端４３を係止されたスクリーン４５が、シャッターカーテン１５の巻き取りに伴って繰り出されることとなる。
【００２３】
したがって、この開閉装置１００によれば、幅木２９に、スクリーン４５を収容したロールスクリーンユニット３１を設け、このロールスクリーンユニット３１のスクリーン繰出し端４３に、係止突起に係止・係止解除自在となったスクリーンロック手段４９を設けたので、既設の幅木と、スクリーンユニット付幅木２９とを交換するのみで、簡単にロールスクリーンユニット３１を後付することができる。また、シャッターカーテン１５の収容ケース１７に、ロールスクリーンユニット３１を並設する必要がないので、開閉装置１００の奥行き方向の寸法を小さくすることができる。そして、ロールスクリーン４５の係止が、シャッターカーテン用の既設の係止突起４１を共用できるので、新たな係止手段を増設することなく、ロールスクリーンユニット３１の取付けが容易となる。さらに、従来のように、シャッターカーテン１５を全開してからスクリーン４５を繰り出す二度手間を不要にして、操作性を向上させることができる。
【００２４】
図５はスクリーンの繰出し端にストッパが設けられる変形例の縦断面図である。なお、上記した開閉装置１００には、図５に示すストッパ５５を設けることが好ましい。このストッパ５５は、開脚自在な一対のストッパ片５７，５７をガイドレール１９内に挿入し、ストッパ片５７、５７の間に圧縮ばね５９を挟入している。したがって、圧縮ばね５９の付勢力によって一対のストッパ片５７，５７がガイドレール１９内で開くことにより、スクリーン４５の繰出し端４３がガイドレール１９の任意の位置に保持されることとなる。この保持は、一対のストッパ片５７，５７を指で挟むことにより解除可能となる。
【００２５】
このようなストッパ５５を設けることにより、スクリーン４５の繰出し端４３が、巻取ばねの付勢力によって、スクリーンロック手段４９の解除と同時に、一度に巻き取られることを防止できる。
【００２６】
次に、本発明に係る開閉装置の第２の実施の形態を説明する。
図６は本発明の第２の実施の形態に係る開閉装置の設けられた開口部の縦断面図、図７は図６に示した端部材の拡大図、図８は図７に示した端部材の室内側から見た正面図である。なお、図１〜図４に示した部材と同一の部材には同一の符号を付し重複する説明は省略するものとする。
この実施の形態による開閉装置２００は、図６に示すように、シャッターカーテン１５の繰出し端に端部材である幅木７１が設けられる。この幅木７１は、図７に示すように、繰り出し方向前後の先端側の先端部材である先端幅木７３と、基端側の基端部材である基端幅木７５とに二分割、すなわち、この実施の形態では上下に位置して二分割とされている。
【００２７】
図８に示すように、先端幅木７３にはシャッターカーテン１５のロック手段３３が設けられている。また、基端幅木７５にはスクリーン４５を収容したロールスクリーンユニット３１が設けられている。ロールスクリーンユニット３１に収容されたスクリーン４５は、図７に示すように、繰出し端４３が先端幅木７３に固定されている。また、先端幅木７３と基端幅木７５とには端部材連結手段としての幅木連結手段７７が設けられている。幅木連結手段７７は、基端幅木７５に揺動自在に設けられた揺動自在な係止部材７９と、先端幅木７３に設けられた係止爪８１とからなる。係止部材７９は、先端縁に爪部７９ａを有し、係止爪８１に係止することで基端幅木７５と先端幅木７３とを一体に連結するとともに、揺動操作によって係止を解除することで、基端幅木７５と先端幅木７３とを分離可能としている。つまり、幅木連結手段７７は、基端幅木７５と先端幅木７３とを連結・連結解除可能としている。なお、図８に示すように、係止部材７９は、基端幅木７５の長手方向に沿って長尺な短冊板状に形成され、係止爪８１は、先端幅木７３の長手方向に沿って突出形成され、すなわち、この幅木連結手段７７は、幅木７１の略幅方向に亘って延在して設けられている。
【００２８】
次に、このように構成された開閉装置２００の作用を説明する。
図９はスクリーンロック手段の解除時の状態を表す動作説明図、図１０は基端部材の上昇時の状態を表す動作説明図、図１１はスクリーンによって遮られた窓部の縦断面図である。
図９に示すように、シャッターカーテン１５の閉鎖時には、シャッターカーテン１５のロック手段３３が係止突起４１に係止するとともに、幅木連結手段７７の係止部材７９が係止爪８１に係止している。シャッターカーテン１５を開放する際、窓部１３をスクリーン４５で遮る必要がない場合には、ロック手段３３を解除する。これにより、シャッターカーテン１５が巻き取られるとともに、スクリーン４５は、ロールスクリーンユニット３１に収容されたままシャッターカーテン１５の幅木７１と共に上昇する。すなわち、窓部１３は、スクリーン４５に遮られることなく全開されることとなる。
【００２９】
一方、シャッターカーテン１５の開放時、窓部１３をスクリーン４５で遮るには、図１０に示すように、幅木連結手段７７の係止部材７９のみを解除する。すなわち、シャッターカーテン１５のロック手段３３はロック状態のままとする。この状態で、シャッターカーテン１５を開放すると、繰出し端４３が先端幅木７３に固定されているため、基端幅木７５と共に上昇するロールスクリーンユニット３１からスクリーン４５が繰り出されて行く。これにより、シャッターカーテン１５が全開されると、窓部１３は、図１１に示すように、ロールスクリーンユニット３１から繰り出されたスクリーン４５によって遮られることとなる。なお、窓部１３がスクリーン４５で遮られた状態で、先端幅木７３は、窓部１３の下端にロック状態のまま残ることとなる。
【００３０】
この開閉装置２００では、既設の幅木と、ロールスクリーンユニット３１の取り付けられたスクリーンユニット付幅木７１とを交換するのみで、簡単にロールスクリーンユニット３１が後付けされることになる。また、シャッターカーテン１５の収容ケース１７に、ロールスクリーンユニット３１を並設する必要がなくなる。そして、スクリーン４５の繰出し端４３が、先端幅木７３に係止可能となる。さらに、シャッター閉鎖時に、シャッターカーテン１５の施錠解除、又はスクリーン４５のロック解除の選択が可能となり、例えばスクリーン４５の係止解除のみを行い、シャッターカーテン１５を開放すれば、繰出し端４３を先端幅木７３に係止したスクリーン４５が、基端幅木７５の上昇に伴って繰り出されることとなる。
【００３１】
したがって、この開閉装置２００によれば、幅木７１を繰り出し方向前後の先端幅木７３と基端幅木７５とに二分割し、ロック手段３３を先端幅木７３に設け、スクリーン４５を収容したロールスクリーンユニット３１を基端幅木７５に設け、ロールスクリーンユニット３１のスクリーン繰出し端４３を先端幅木７３に固定するとともに、基端幅木７５と先端幅木７３とに亘って、基端幅木７５と先端幅木７３とを連結・連結解除可能とした幅木連結手段７７を設けたので、既設の幅木と、スクリーンユニット付幅木７１とを交換するのみで、簡単にロールスクリーンユニット３１を後付けすることができる。また、シャッターカーテン１５の収容ケース１７に、ロールスクリーンユニット３１を並設する必要がないので、開閉装置２００の奥行き方向の寸法を小さくすることができる。そして、スクリーン４５の繰出し端４３が、先端幅木７３に係止できるので、新たな係止手段を増設することなく、ロールスクリーンユニット３１の取付けが容易となる。さらに、従来のように、シャッターを全開してからスクリーン４５を繰り出す二度手間を不要にして、操作性を向上させることができる。
【図面の簡単な説明】
【００３２】
【図１】本発明の第１の実施の形態に係る開閉装置の設けられた開口部の縦断面図である。
【図２】図１の水平断面図である。
【図３】シャッターカーテン繰出し端に設けられたロック手段の正面図である。
【図４】スクリーン繰出し端に設けられたスクリーンロック手段の正面図である。
【図５】スクリーンの繰出し端にストッパが設けられる変形例の縦断面図である。
【図６】本発明の第２の実施の形態に係る開閉装置の設けられた開口部の縦断面図である。
【図７】図６に示した端部材の拡大図である。
【図８】図７に示した端部材の室内側から見た正面図である。
【図９】スクリーンロック手段の解除時の状態を表す動作説明図である。
【図１０】基端部材の上昇時の状態を表す動作説明図である。
【図１１】スクリーンによって遮られた窓部の縦断面図である。
【符号の説明】
【００３３】
１７…収容ケース
１９…ガイドレール
２７…シャッターカーテン繰出し端
２９，７１…端部材（幅木）
３１…ロールスクリーンユニット
３３…ロック手段
４１…係止突起
４３…スクリーン繰出し端
４５…スクリーン
４９…スクリーンロック手段
７３…先端部材（先端幅木）
７５…基端部材（基端幅木）
７７…端部材連結手段（幅木連結手段）
１００，２００…開閉装置
【図１】
2006219836.tif 000003
【図２】
2006219836.tif 000004
【図３】
2006219836.tif 000005
【図４】
2006219836.tif 000006
【図５】
2006219836.tif 000007
【図６】
2006219836.tif 000008
【図７】
2006219836.tif 000009
【図８】
2006219836.tif 000010
【図９】
2006219836.tif 000011
【図１０】
2006219836.tif 000012
【図１１】
2006219836.tif 000013